(57)【特許請求の範囲】
【請求項１】
遊技機器を収容した筐体内に、金属製ベース部材と共に締結部材により共締め固定される合成樹脂製ベース部材と、前記合成樹脂製ベース部材の前面に固定され、かつ遊技動作を制御する制御基板を収容した合成樹脂製の基板ケースとを備えた遊技機の制御基板ユニットにおいて、
前記合成樹脂製ベース部材及び前記金属製ベース部材に、前記金属製ベース部材及び前記合成樹脂製ベース部材を前記筐体内に固定しない状態で、前記合成樹脂製ベース部材の裏面に、前記合成樹脂製ベース部材に設けた締結部材挿入孔及び前記金属製ベース部材に設けた締結部材挿入孔が互いに一致した状態で、予め前記金属製ベース部材を前記合成樹脂製ベース部材に仮止め可能な仮止め構造部を設け、
前記仮止め構造部は、前記金属製ベース部材の一端に形成された平面視コ字型折曲片と、前記合成樹脂製ベース部材に設けられ、前記金属製ベース部材を前記合成樹脂製ベース部材の裏面に対して傾けた状態で、前記コ字型折曲片が前記合成樹脂製ベース部材の裏面側から係合可能な係合孔と、前記合成樹脂製ベース部材の裏面に突設される円柱状突部と、前記金属製ベース部材に設けられ、前記コ字型折曲片を前記係合孔に係合した状態で、前記コ字型折曲片と前記合成樹脂製ベース部材とが互いに当接する点を支点にして前記金属製ベース部材を前記合成樹脂製ベース部材の裏面側へ向けて回動させることにより、前記円柱状突部がきつく嵌合可能な係合孔とを含むことを特徴とする遊技機の制御基板ユニット。
【発明の詳細な説明】
【技術分野】
【０００１】
本発明は、遊技を制御する制御基板を基板ケース内に収容した遊技機の制御基板ユニットに関する。
【背景技術】
【０００２】
従来、スロットマシン、パチンコ機等の遊技機の制御基板ユニットにおいては、遊技を制御する制御基板を透明な基板ケース内に収容し、この基板ケースに設けた封止部を、締め方向しか回せないワンウェイネジ等で構成される封止部材をもって、予め筐体内に固定されたベース部材に結合することによって、基板ケースを、制御基板の不正改造ができないように封止すると共にベース部材に固定する。また、ベース部材は、筐体の裏側からの不正な攻撃に耐えられるように金属板により形成される（例えば、特許文献１参照）。
【０００３】
【特許文献１】特開２００６−３２６１９８号公報
【発明の開示】
【発明が解決しようとする課題】
【０００４】
上述の特許文献１に記載されたような遊技機の制御基板ユニットにおいて、さらに不正行為をより確実に阻止し、かつ金属製ベース部材への基板ケースの取付を容易に行い得るようにするため、金属製ベース部材の前面に合成樹脂製のベース部材を固定して、基板ケースを合成樹脂製ベース部材を介して金属製ベース部材に固定することが考えられる。しかし、このようにすると、不正な行為を阻止して、基板ケースを合成樹脂製ベース部材に容易に固定できる反面、合成樹脂製ベース部材及び金属製ベース部材を予め筐体内に同時に固定する作業が面倒になるおそれがある。
【０００５】
本発明は、上述のような課題に鑑み、金属製ベース部材及び合成樹脂製ベース部材を筐体内に容易に固定することができるようにした遊技機の制御基板ユニットを提供することを目的とする。
【課題を解決するための手段】
【０００６】
上記目的を達成するため、本発明は、遊技機器を収容した筐体内に、金属製ベース部材と共に締結部材により共締め固定される合成樹脂製ベース部材と、前記合成樹脂製ベース部材の前面に固定され、かつ遊技動作を制御する制御基板を収容した合成樹脂製の基板ケースとを備えた遊技機の制御基板ユニットにおいて、前記合成樹脂製ベース部材及び前記金属製ベース部材に、前記金属製ベース部材及び前記合成樹脂製ベース部材を前記筐体内に固定しない状態で、前記合成樹脂製ベース部材の裏面に、前記合成樹脂製ベース部材に設けた締結部材挿入孔及び前記金属製ベース部材に設けた締結部材挿入孔が互いに一致した状態で、予め前記金属製ベース部材を前記合成樹脂製ベース部材に仮止め可能な仮止め構造部を設け、前記仮止め構造部は、前記金属製ベース部材の一端に形成された平面視コ字型折曲片と、前記合成樹脂製ベース部材に設けられ、前記金属製ベース部材を前記合成樹脂製ベース部材の裏面に対して傾けた状態で、前記コ字型折曲片が前記合成樹脂製ベース部材の裏面側から係合可能な係合孔と、前記合成樹脂製ベース部材の裏面に突設される円柱状突部と、前記金属製ベース部材に設けられ、前記コ字型折曲片を前記係合孔に係合した状態で、前記コ字型折曲片と前記合成樹脂製ベース部材とが互いに当接する点を支点にして前記金属製ベース部材を前記合成樹脂製ベース部材の裏面側へ向けて回動させることにより、前記円柱状突部がきつく嵌合可能な係合孔とを含むものとする。この構成により、前記金属製ベース部材を前記合成樹脂製ベース部材に仮止めした状態で、前記金属製ベース部材及び前記合成樹脂製ベース部材を、前記締結部材により前記筐体内に同時に共締め固定することができる。さらに、前記金属製ベース部材のコ字型折曲片が前記合成樹脂製ベース部材の係合孔、また、前記合成樹脂製ベース部材の円柱状突部が、前記金属製ベース部材の係合孔にそれぞれ係合することによって、前記金属製ベース部材を前記合成樹脂製ベース部材に確実に仮止めすることができる。
【発明の効果】
【０００８】
本発明によれば、金属製ベース部材及び合成樹脂製ベース部材を筐体内に容易に固定することができる。
【発明を実施するための最良の形態】
【０００９】
以下、本発明の一実施形態を、図面に基づいて説明する。図１は、本発明を適用した遊技機（スロットマシン）の正面図、図２は、前扉を開けた状態の遊技機の正面図、図３は、図２におけるIII−III線縦断面図、図４は、制御基板ユニットの分解斜視図、図５は、制御基板ユニットの正面図、図６は、制御基板ユニットの斜視図、図７は、主制御基板を基板ケースに収容した状態の制御基板ユニットの分解斜視図、図８は、金属製ベース部材の取付要領を説明するための遊技制御基板ユニットの要部の概略横断面図である。なお、以下の説明では、図１において図面手前側を「前方または表面側」とし、図面奥側を「後方または裏面側」とし、左側を「左方」とし、右側を「右方」とする。
【００１０】
遊技機１としてのスロットマシンは、前面が開放した正面視矩形の筐体２と、筐体２の左側部に上下１対のヒンジ４により開閉可能に枢支された前扉３とを備える。
【００１１】
なお、本実施形態において、遊技機１を遊技媒体がメダル（コインを含む）とするスロットマシンとして説明するが、本発明は、これに特定されるものでなく、遊技機１を遊技媒体がパチンコ玉であるスロットマシンまたはパチンコ機としても良い。
【００１２】
図２、３に示すように、筐体２内は、上棚板５及び下棚板６により上、中、下部屋２Ａ、２Ｂ、２Ｃに仕切られる。筐体２内の上部屋２Ａには、図柄、数字等で構成される識別情報を外周面に付記した３個の回転リール７１を有する回転リールユニット７が配置される。中部屋２Ｂには、遊技を統括的に制御する後述の主制御基板１０を含む制御基板ユニット９と、主制御基板１０の命令に基づいて後述の液晶表示装置１５、スピーカ１６、ランプ等を制御する副制御基板１２と、主制御基板１０の命令に基づいて回転リールユニット７を制御する回転リール制御基板１３とが配置される。下部屋２Ｃには、メダルを貯留及び払出可能なホッパーユニット８と、外部電源を各種遊技機器へ供給する電源ユニット１１が配置される。なお、回転リールユニット７、ホッパーユニット８、制御基板ユニット１０及び副制御基板１２等は、筐体２内に収容される遊技機器をなしている。
【００１３】
図１に示すように、前扉３の前面上部には、回転リール７１の識別情報を３こまずつ透視可能な識別情報表示窓３１が設けられ、同じく識別情報表示窓３１の下方には、液晶表示装置１５に表示される遊技情報及び演出情報を透視可能な演出情報表示窓３２が設けられ、同じく演出情報表示窓３２の下方には、遊技を行うときにメダルが投入されるメダル投入部１４と、メダルの賭数を設定するベットスイッチボタン３３と、全ての回転リール７１を一斉に回転させるときに操作されるスタートスイッチレバー３４と、各回転リール７１の回転を個別に停止させるときに操作される３個のストップスイッチボタン３５等が設けられる。ベットスイッチボタン３３、スタートスイッチボタン３４、ストップスイッチボタン３５の各操作信号は、主制御基板１０に入力され、主制御基板１０は、各操作信号に基づいて各遊技機器を制御する。
【００１４】
図２、３に示すように、前扉３の裏面には、遊技に関する遊技情報及び演出情報を表示可能な液晶表示装置１５、演出効果音を発生するスピーカ１６、多数のランプ（図示略）、及びその他の機器が配置されている。
【００１５】
遊技は、遊技者がメダルをメダル投入部１４に投入した後、ベットスイッチボタン３３によりメダルの賭数を設定した後、スタートスイッチレバー３４を操作して、全ての回転リール７１を回転させることによって開始される。
【００１６】
回転リール７１が回転して所定時間が経過した後、３個のストップスイッチボタン３５を順次操作して、各回転リール７１の回転を停止させ、停止した３個の回転リール７１の識別情報の組み合わせにより、入賞の有無、及び賞の大小に応じたメダルの配当枚数が確定され、入賞した場合には、予め定めた入賞枚数分だけホッパーユニット８から前扉３の下部に設けたメダル受皿３６にメダルが払い出される。
【００１７】
図４〜図７に示すように、制御基板ユニット９は、各種電子部品が実装された主制御基板１０と、主制御基板１０を収容する透明な合成樹脂製の基板ケース２０と、筐体２内の後板２Ｄに固定される基板ベース４０とを含む。
【００１８】
基板ベース４０は、金属製ベース部材５０と、金属製ベース部材５０と共に締結部材をなす複数のネジ４１により筐体２内の後板２Ｄに固定される合成樹脂製ベース部材６０と、合成樹脂製ベース部材６０の右端部に２本のネジ４２により着脱可能に固定される合成樹脂製の封止固定部材６５とを含む。
【００１９】
合成樹脂製ベース部材６０は、正面視横長矩形をなし、右側に基板ケース２０が取り付けられる基板ケース取付領域部６０１、また、左側に中継基板８０が取り付けられる中継基板取付領域部６０２をそれぞれ有し、基板ケース取付領域部６０１の左端部には、基板ケース２０の左端部に係合し得るように、前方へ突出する上下２個のＬ字状の係合片６０３が設けられ、また、同じく右部には、封止固定部材６５を合成樹脂製ベース部材６０に固定するためのネジ４２が挿入される上下２個のネジ挿入孔６０４が穿設されている。さらには、合成樹脂製ベース部材６０の左縁には、中継基板８０の左端縁に係合し得るように、前方へ突出する舌片爪状の係合片６０５ａ、及び金属製ベース部材５０を合成樹脂製ベース部材６０の裏面に仮止めするための仮止め構造部の一部を形成する正面視矩形の係合孔６０５ｃが設けられ、右部上下縁には、基板ケース２０の上下端に係合し得るように、前方へ突出する舌片爪状の係合片６０５ｂが設けられ、また、裏面には、左右方向へ所定量離間した仮止め構造部の一部を形成する第１、２円柱状突部６０５ｄ、６０５ｅが後方へ向けて突設されている。
【００２０】
なお、主制御基板１０を収容した基板ケース２０を合成樹脂製ベース部材６０の基板ケース取付領域部６０１に固定した状態においては、封止固定部材６５を合成樹脂製ベース部材６０に締結したネジ４２の頭部が、基板ケース２０により隠蔽されて、固定ベース部材６５を合成樹脂製ベース部材６０から分離することはできない。
【００２１】
金属製ベース部材５０の左端部には、後側から合成樹脂製ベース部材６０の係合孔６０５ｃに係合可能な仮止め構造部の一部を形成する平面視コ字型の折曲片５０１が設けられ、同じく合成樹脂製ベース部材６０の第１、２円柱状突部６０５ｄ、６０５ｅに対応する位置には、第１、２円柱状突部６０５ｄ、６０５ｅにそれぞれ係合可能な仮止め構造部の一部を形成する円形の第１、２係合孔５０２、５０３が穿設され、同じく合成樹脂製ベース部材６０に設けられた各ネジ挿入孔（ネジ４１が挿入される孔）６０５ｆに対応する位置には、ネジ４１が挿入可能な複数のネジ挿入孔５０４が穿設されている。
【００２２】
第２係合孔５０３よりもコ字型折曲片５０１に近接した位置に設けられる第１係合孔５０２は、第１円柱状突部６０５ｄがきつく嵌合するように、第１円柱状突部６０５ｄの直径とほぼ同一の大きさとするか、または、第１円柱状突部６０５ｄに対して僅かにずれた位置に設けられる。第２係合孔５０３は、第２円柱状突部６０５ｅが容易に嵌合するように、左右方向へ若干長孔形状をなしている。
【００２３】
金属製ベース部材５０を合成樹脂製ベース部材６０に仮止めするには、次のようにして行われる。先ず、金属製ベース部材５０及び合成樹脂製ベース部材６０を筐体２内の後板２Ｄに締結する前、図８に２点鎖線で示すように、金属製ベース部材５０を合成樹脂製ベース部材６０の裏面に対して傾けた状態で、コ字型折曲片５０１を後側から係合孔６０５ｃ内に係合する。そして、金属製ベース部材５０を、コ字型折曲片５０１と合成樹脂製ベース部材６０とが互いに当接する点を支点にして矢示方向へ回動させ、最初に第１円柱状突部６０５ｄを第１係合孔５０２内に嵌合させ、次いで、第２円柱状突部６０５ｅを第２係合孔５０３内に嵌合させる。これにより、第１円柱状突部６０５ｄが第１係合孔５０２内にきつく嵌合して、第１係合孔５０２の開口縁が第１円柱状突部６０５ｄの外周面に強く係合するため、金属製ベース部材５０は、合成樹脂製ベース部材６０と共に筐体２内の後板２ｄに固定する際、脱落することがないように、合成樹脂製ベース部材６０に仮止めされる。金属製ベース部材５０を合成樹脂製ベース部材６０に仮止めした状態においては、金属製ベース部材５０の各ネジ挿入孔５０４と合成樹脂製ベース部材６０の各ネジ挿入孔６０５ｆが互いに合致する。これにより、ネジ４１をもって、金属製ベース部材５０及び合成樹脂製ベース部材６０を一緒に、筐体２内の後板２ｄに簡単に共締めすることができる。また、合成樹脂製ベース部材６０の裏面側に金属製ベース部材５０を配置したことにより、筐体２の後側からの不正な攻撃を確実に阻止することができ、また、基板ケース２０を合成樹脂製ベース部材６０に簡単に取り付けることができる。
【００２４】
封止固定部材６５は、ネジ４２により合成樹脂製ベース部材６０の右端部に固定されると共に、その右端には、後述の封止部２２１、２２２の周辺を囲むように防護壁６５１が突設され、防護壁６５１の左側、すなわち防護壁６５１により囲われる内側には、締め方向しか回せないワンウェイネジにより構成される封止部材６６の先端が係合可能な４個の封止孔６５２を上下方向に並設した封止固定部６５３が設けられている。さらには、封止固定部材６５の下部には、基板ケース２０と封止固定部材６５とを封印するための封印シール６７の下半分が貼着される前面が平坦な封印シール貼着部６５４が設けられている。
【００２５】
図４に示すように、基板ケース２０は、主制御基板１０の裏面側を覆う第１ケース部材２１と、同じく表面側を覆う第２ケース部材２２とを含む。第１ケース部材２１の右端部には、封止部材６６の先端が係合可能な上下２個の円筒状の固定部２１２が設けられ、また、同じく周縁には、前方へ突出する３個の爪部２１１が設けられている。
【００２６】
第２ケース部材２２の右端部には、第１ケース部材２１の固定部２１２の前面に重合し、かつ封止部材６６が挿入可能な上下２個の円筒状の封止部２２１と、封止固定部材６５の各封止孔６５２に重合し、かつ封止部材６６が挿入可能な４個の円筒状の封止部２２２が設けられている。また、同じく前面には、主制御基板１０に実装された設定変更スイッチ１０２、設定変更キーシリンダ１０３、打ち止め有無スイッチ１０４を露出させる開口部２２３、２２４、２２５と、これら開口部２２３、２２４、２２５を開閉可能な開閉蓋２２６が設けられている。なお、各封止部２２１、２２２は、工具等で切断可能な薄肉状の切断部を介して第２ケース部材２２の右端部に連設されている。さらに、第２ケース部材２２の前面には、第１ケース部材２１の各爪部２１１が係合可能な係合孔２２７が穿設されている。
【００２７】
第２ケース部材２２は、第１ケース部材２１の各爪部２１１を各係合孔２２７に係合させると共に、封止部材６６をもって、封止部２２１と固定部２１２とを互いに結合することによって、第１ケース部材２１の前面に開放不能に固定される。
【００２８】
主制御基板１０は、第１ケース部材２１と第２ケース部材２２との間に収容された状態で、第２ケース部材２２の背面に複数のネジ２３によって固定される。主制御基板１０の前面には、遊技動作を統括的に制御する電子部品１０１、設定変更スイッチ１０２、設定変更キーシリンダ１０３、打ち止め有無スイッチ１０４、及び外部コネクタ（図示略）が接続される複数のコネクタ１０５が実装されている。
【００２９】
次に、制御基板ユニット１０の取付け及び取外し要領について説明する。先ず、合成樹脂製ベース部材６０の右端部に、ネジ４２により封止固定部材６５を固定すると共に、合成樹脂製ベース部材６０の背面に、前述のように金属製ベース部材５０を仮止めした状態で、ネジ４１をもって、予め金属製ベース部材５０及び合成樹脂製ベース部材６０を筐体２の後板２Ｄに共締め固定する。
【００３０】
続いて、主制御基板１０を収容した基板ケース２０の左端部を、予め筐体２内に固定された合成樹脂製ベース部材６０の係合片６０３に係合させると共に、同じく上下縁を、上下の係合片６０５ｂに係合させた状態で、封止部材６６を封止部２２２に挿入し、その先端を封止固定部材６５の封止孔６５２に係合させて、封止部２２２を封止固定部材６５の封止固定部６５３に固定する。これによって、基板ケース２０は、合成樹脂製ベース部材６０及び封止固定部材６５の前面に固定される。基板ケース２０を合成樹脂製ベース部材６０及び封止固定部材６５に固定した後、基板ケース２０と基板ベース４０とを封印するため、封印シール６７を、封止固定部材６５の封印シール貼着部６５４とこれに隣接する第２ケース部材２２との境目にかかるように貼着する。
【００３１】
なお、基板ケース２０を合成樹脂製ベース部材６０及び封止固定部材６５に固定する前、基板ケース２０における第１ケース部材２１と第２ケース部材２２は、封止部２２１と固定部２１２とが封止部材６６によって互いに固定されて封止されているため、封止部２２１を切断しない限り、基板ケース２０を開放することは実質的に不可能である。
【００３２】
基板ケース２０を合成樹脂製ベース部材６０及び金属製ベース部材５０を介して、筐体２の後板２Ｄに固定した状態においては、封止部材６６をもって、封止部２２２が封止固定部材６５の封止固定部６５３に固定されているため、封止された封止部２２２を切断しない限り、基板ケース２０を、筐体２の後板２Ｄから取り外すことは実質的に不可能である。また、各封止部２２１、２２２の周辺は、封止固定部材６５の防護壁６５１により包囲されているため、各封止部２２１、２２２を、不正具等を用いて変形させ、封止部材６６を各封止部２２１、２２２から取り外すような不正行為を阻止することができる。
【００３３】
さらには、封止固定部材６５を合成樹脂製ベース部材６０に固定したネジ４２の頭部が、基板ケース２０により隠蔽されるため、封止固定部材６５を合成樹脂製ベース部材６０から分離させることは、基板ケース２０を合成樹脂製ベース部材６０から取り外さない限り、実質的に不可能である。これにより、不正行為等で、封止固定部材６５が合成樹脂製ベース部材６０から分離させられることを確実に阻止することができる。
【００３４】
筐体２に取り付けられた主制御基板１０の検査を行なう場合には、封止部材６６により封止された封止部２２２を、ニッパー等の工具で切断して第２ケース部材２２から分離すると共に、基板ケース２０に係合した係合片６０３、６０５ｂの係合を解除して、封印シール６７を剥がすことによって、基板ケース２０を基板ベース４０から取り外すことができる。
【００３５】
基板ケース２０を基板ベース４０から取り外した後、封止部材６６により封止された封止部２２１を切断することにより、基板ケース２０を開封して主制御基板１０を取り出すことができる。
【００３６】
また、主制御基板１０を交換する等して、遊技機１の遊技内容を変更する場合には、上述と同様な作業手順で基板ケース２０を基板ベース４０から取り外し、主制御基板１０を新しいものに交換する。また、基板ケース２０も、封止部２２１、２２２が切断されて再利用することはできないため、新しいものに交換される。
【００３７】
この場合、従来においては、基板ケース２０を基板ベース４０から取り外しても、基板ベース４０に切断された封止部２２２及び封止部材６６が付着しているため、基板ベース４０をそのまま再利用することはできないことから、基板ベース４０全体を新しいものに交換する必要がある。しかし、本発明における実施形態においては、ネジ４２を取り外すことによって、封止部２２２が付着された封止固定部材６５を、筐体２に固定された合成樹脂製ベース部材６０から分離できるため、封止固定部材６５のみを新しいものに交換するだけで、筐体２に固定された金属製ベース部材５０及び合成樹脂製ベース部材６０を、筐体２に取り付けたまま再利用することができる。また、封印シール６７は、第２ケース部材２２と封止固定部材６５の封印シール貼着部６５４とに貼着されるため、合成樹脂製ベース部材６０には、封印シール６７を貼着した痕跡が残らず、合成樹脂製ベース部材６０を、元の形態のまま再利用することができる。さらには、金属製ベース部材５０及び合成樹脂製ベース部材６０を筐体２の後板２Ｄから取り外す必要がないため、金属製ベース部材５０及び合成樹脂製ベース部材６０を後板２Ｄに締結するためのネジ４１が係合する後板２Ｄのねじ孔が馬鹿孔になることがないため、後板２Ｄのねじ孔を修復する必要はない。
【００３８】
以上、本発明の実施形態について説明したが、本発明の要旨を逸脱しない範囲内で、本実施形態に対して、次のような種々の変形や変更を施すことが可能である。
（ｉ）合成樹脂製ベース部材６０と封止固定部材６５とを一体構造とする。
（ii）円柱状突部及びこの円柱状突部に係合可能な係合孔をそれぞれ１個にする。
（iii）封止部材６６をワンウェイネジに代えて合成樹脂製の係合ピンとする。
【図面の簡単な説明】
【００３９】
【図１】本発明を適用した遊技機の正面図である。
【図２】前扉を開けた状態の遊技機の正面図である。
【図３】図２におけるIII−III線縦断面図である。
【図４】制御基板ユニットの分解斜視図である。
【図５】制御基板ユニットの正面図である。
【図６】制御基板ユニットの斜視図である。
【図７】制御基板を基板ケースに収容した状態の制御基板ユニットの分解斜視図である。
【図８】基板ケースを取り付ける前、金属製ベース部材の取付要領を説明するための図５のVIII−VIII線に相当する横断面図である。
【符号の説明】
【００４０】
１  遊技機（スロットマシン）
２  筐体
２Ａ  上部屋
２Ｂ  中部屋
２Ｃ  下部屋
２Ｄ  後板
３  前扉
４  ヒンジ
５  上棚板
６  下棚板
７  回転リーユニット
８  ホッパーユニット
９  制御基板ユニット
１０  主制御基板
１１  電源ユニット
１２  副制御基板
１３  回転リール制御基板
１４  メダル投入部
１５  液晶表示装置
１６  スピーカ
２０  基板ケース
２１  第１ケース部材
２２  第２ケース部材
２３  ネジ
３１  識別情報表示窓
３２  演出情報表示窓
３３  ベットスイッチボタン
３４  スタートスイッチレバー
３５  ストップスイッチボタン
３６  メダル受皿
４０  基板ベース
４１  ネジ（締結部材）
４２  ネジ
５０  金属製ベース部材
６０  合成樹脂製ベース部材
６５  封止固定部材
６６  封止部材
６７  封印シール
７１  回転リール
８０  中継基板
１０１  電子部品
１０２  設定変更スイッチ
１０３  設定変更キーシリンダ
１０４  打ち止め有無スイッチ
１０５  コネクタ
２１１  爪部
２１２  固定部
２２１  封止部
２２２  封止部
２２３、２２４、２２５  開口部
２２６  開閉蓋
２２７  係合孔
５０１  コ字型折曲片（仮止め構造部）
５０２  第１係合孔（仮止め構造部）
５０３  第２係合孔（仮止め構造部）
５０４  ネジ挿入孔
６０１  基板ケース取付領域部
６０２  中継基板取付領域部
６０３  係合片
６０４  ネジ挿入孔
６０５ａ、６０５ｂ  係合片
６０５ｃ  係合孔（仮止め構造部）
６０５ｄ  第１円柱状突部（仮止め構造部）
６０５ｅ  第２円柱状突部（仮止め構造部）
６０５ｆ  ネジ挿入孔
６５１  防護壁
６５２  封止孔
６５３  封止固定部
６５４  封印シール貼着部
【図１】
0005208486.tif 000002
【図２】
0005208486.tif 000003
【図３】
0005208486.tif 000004
【図４】
0005208486.tif 000005
【図５】
0005208486.tif 000006
【図６】
0005208486.tif 000007
【図７】
0005208486.tif 000008
【図８】
0005208486.tif 000009